(57)【要約】【課題】  スピーカの音を効率良く、かつ良好に放音させることができる鍵盤楽器を提供する。【解決手段】  楽器ケース１と、この楽器ケース１内に配置されて楽器ケース１の前部上側に露呈された鍵盤部１０と、楽器ケース１内における鍵盤部１０の後方に配置されたスピーカ２６と、楽器ケース１の後天板８に設けられ、スピーカ２６で発生した音を放音するための第２放音孔２８と、この第２放音孔２８を開閉可能に塞ぐ放音蓋３０と、この放音蓋３０を楽器ケース１上に保持した状態で楽器ケース１の前後方向に選択的に開放する開放選択部３１と、を備えている。従って、第２放音孔２８を塞ぐ放音蓋３０を開放選択部３１によって楽器ケース１の前後方向の一方に向けて開放することができるので、スピーカ２６の音を楽器ケース１の前側と後側とのいずれかの方向に選択して放音させることができる。【選択図】        図２
2014021141.tif 000002
【特許請求の範囲】
【請求項１】
内部に鍵盤部が配置される楽器ケースと、
前記楽器ケース内における前記鍵盤部の後方に配置されたスピーカと、
前記楽器ケース上に開閉可能に保持され、かつ閉状態において前記スピーカで発生した音を放音するための放音孔を塞ぐ放音蓋と、
この放音蓋を前記楽器ケースの前方向および後方向のいずれかに向けて選択的に開放する開放選択部と、
を備えていることを特徴とする鍵盤楽器。
【請求項２】
請求項１に記載の鍵盤楽器において、前記開放選択部は、前記放音蓋の前部を前記楽器ケースの上部に対して着脱可能に取り付け、かつ前記放音蓋の前部を回転可能に保持する前側保持部と、前記放音蓋の後部を前記楽器ケースの上部に対して着脱可能に取り付け、かつ前記放音蓋の後部を回転可能に保持する後側保持部とを備えていることを特徴とする鍵盤楽器。
【請求項３】
請求項２に記載の鍵盤楽器において、前記前側保持部は、前記楽器ケースの上部における前記放音孔の前部に設けられた前側装着部と、前記放音蓋の前部に設けられて前記前側装着部に着脱可能に取り付けられ、かつ前記前側装着部に対して回転して前記放音蓋を任意の傾斜角度で保持する前側嵌合部とを備え、
前記後側保持部は、前記楽器ケースの上部における前記放音孔の後部に設けられた後側装着部と、前記放音蓋の後部に設けられて前記後側装着部に着脱可能に取り付けられ、かつ前記前側装着部に対して回転して前記放音蓋を任意の傾斜角度で保持する後側嵌合部とを備えていることを特徴とする鍵盤楽器。
【請求項４】
請求項３に記載の鍵盤楽器において、前記前側装着部は前記楽器ケースの上部における前記放音孔の前部に上下方向に伸縮自在に設けられた前側支持部材に取り付けられており、前記後側装着部は前記楽器ケースの上部における前記放音孔の後部に上下方向に伸縮自在に設けられた後側支持部材に取り付けられていることを特徴とする鍵盤楽器。
【請求項５】
内部に鍵盤部が配置される楽器ケースと、
前記楽器ケース内における前記鍵盤部の後方に配置されたスピーカと、
前記楽器ケース上に開閉可能に保持され、かつ閉状態において前記スピーカで発生した音を放音するための放音孔を塞ぐ放音蓋と、
この放音蓋を前記楽器ケースの前方向および後方向に開放する開放選択部と、
を備えていることを特徴とする鍵盤楽器。
【請求項６】
請求項５に記載の鍵盤楽器において、前記放音蓋は、前側放音蓋部と後側放音蓋部とに分割され、前記前側放音蓋部と前記後側放音蓋部とが連結部によって回転可能に連結され、かつこの連結部によって前記前側放音蓋部と前記後側放音蓋部とが互いに任意の角度で傾斜して保持されることを特徴とする鍵盤楽器。
【請求項７】
請求項６に記載の鍵盤楽器において、前記連結部によって連結された箇所における前記前側放音蓋部と前記後側放音蓋部との一方を前記楽器ケースの上部に対して着脱可能に取り付け、かつ前記前側放音蓋部と前記後側放音蓋部との前記一方を回転可能に保持する中間保持部とを備えていることを特徴とする鍵盤楽器。
【請求項８】
請求項７に記載の鍵盤楽器において、前記中間保持部は、前記楽器ケースの上部における前記放音孔の前後方向の中間部に対応する箇所に設けられた中間装着部と、前記連結部によって連結された箇所における前記前側放音蓋部と前記後側放音蓋部との一方に設けられて前記中間装着部に着脱可能に取り付けられ、かつ前記前側装着部に対して回転して前記前側放音蓋部と前記後側放音蓋部とを任意の傾斜角度で保持する中間嵌合部と、を備えていることを特徴とする鍵盤楽器。
【発明の詳細な説明】
【技術分野】
【０００１】
この発明は、電子ピアノや電子オルガンなどの鍵盤楽器に関する。
【背景技術】
【０００２】
例えば、電子鍵盤楽器においては、特許文献１に記載されているように、前部側が上方に開放された楽器ケース内に鍵盤部を設けると共に、この鍵盤部を覆う鍵盤蓋を開閉可能に設け、この楽器ケースの下面にスピーカを上向きに取り付け、このスピーカで発生した音を楽器ケース内から楽器ケースの前側に向けて放音するように構成されたものが知られている。
【先行技術文献】
【特許文献】
【０００３】
【特許文献１】特開２０１１−２８０３４号公報
【０００４】
このような電子鍵盤楽器における鍵盤部は、楽器ケース内に配置された鍵盤シャーシと、この鍵盤シャーシ上に上下方向に回転可能な状態で並列に配列された複数の鍵とを備え、この複数の鍵の各隙間を通してスピーカの音が楽器ケースの前側に向けて放音されるように構成されている。
【０００５】
また、鍵盤蓋は、前蓋と後蓋とが蝶番で折り曲げ可能に連結され、蓋ガイド部によってガイドされるように構成されている。この場合、蓋ガイド部は、鍵盤蓋が鍵盤部を上側に開放した際に、前蓋と後蓋とを蝶番で折り曲げて、後蓋を鍵盤部の後部に接近させた状態で配置させるように構成されている。
【０００６】
これにより、この電子鍵盤楽器では、鍵盤蓋が鍵盤部を上側に開放した際に、前蓋が楽器ケースの上部に僅かな隙間をもって接近すると共に、後蓋が楽器ケースの後部に僅かな隙間をもって接近し、これらの隙間を通してスピーカの音が楽器ケースの前側に向けて放音されるように構成されている。
【発明の概要】
【発明が解決しようとする課題】
【０００７】
しかしながら、このような電子鍵盤楽器では、スピーカで発生した音が楽器ケースの内部を通して楽器ケースの前側に向けて放音される際に、鍵盤部における複数の鍵の各隙間、および後蓋と楽器ケースの後部との僅かな隙間、並びに前蓋と楽器ケースの上部との僅かな隙間を通して、スピーカの音が楽器ケースの前側に向けて放音される構成であるから、スピーカの音を効率良く、かつ良好に放音させることができないという問題がある。
【０００８】
また、この電子鍵盤楽器では、スピーカで発生した音を楽器ケース内を通して楽器ケースの前側に向けて放音することができても、スピーカで発生した音を楽器ケースの前後方向に選択して放音することができないため、例えばコンサートなどで演奏する際に、その演奏音を聴衆者側である楽器ケースの後部側に向けて効率良く、かつ良好に放音させることができないという問題もある。
【０００９】
この発明が解決しようとする課題は、スピーカの音を効率良く、かつ良好に放音させることができる鍵盤楽器を提供することである。
【課題を解決するための手段】
【００１０】
この発明は、内部に鍵盤部が配置される楽器ケースと、前記楽器ケース内における前記鍵盤部の後方に配置されたスピーカと、前記楽器ケース上に開閉可能に保持され、かつ閉状態において前記スピーカで発生した音を放音するための放音孔を塞ぐ放音蓋と、この放音蓋を前記楽器ケースの前方向および後方向のいずれかに向けて選択的に開放する開放選択部と、を備えていることを特徴とする鍵盤楽器である。
【発明の効果】
【００１１】
この発明によれば、楽器ケースの上部に設けられた放音孔を通して楽器ケース内に設けられたスピーカの音を楽器ケースの外部に良好に放音することができると共に、放音孔を塞ぐ放音蓋を開放選択部によって楽器ケースの前後方向における少なくとも一方側に向けて開放することができるので、スピーカの音を楽器ケースの前側と後側との少なくともいずれかの方向に選択して放音することができる。これにより、スピーカの音を効率良く、かつ良好に放音させることができる。
【図面の簡単な説明】
【００１２】
【図１】この発明を電子鍵盤楽器に適用した第１実施形態を示した断面図である。
【図２】図１に示された電子鍵盤楽器において、鍵盤蓋を開いて演奏する際に、放音蓋を前上りに傾斜させて開いた状態を示した断面図である。
【図３】図１に示された電子鍵盤楽器において、鍵盤蓋を開いて演奏する際に、放音蓋を後上りに傾斜させて開いた状態を示した断面図である。
【図４】図１に示された電子鍵盤楽器における開放選択部の一部を分解して示した要部の拡大断面図である。
【図５】この発明を電子鍵盤楽器に適用した第２実施形態において、放音蓋を後部上りに開放させた状態を示した要部の断面図である。
【図６】図５に示された開放選択部における前側支持部材と後側支持部材とを示した要部の拡大断面図である。
【図７】図６に示された開放選択部における前側支持部材と後側支持部材との小径のパイプの一部または軸部の一部を示した要部の拡大斜視図である。
【図８】この発明を電子鍵盤楽器に適用した第３実施形態において、放音蓋を前部上りに開放させた状態を示した要部の断面図である。
【図９】この発明を電子鍵盤楽器に適用した第４実施形態において、放音蓋を前後両方に開放させた状態を示した要部の断面図である。
【発明を実施するための形態】
【００１３】
（第１実施形態）
以下、図１〜図４を参照して、この発明を電子鍵盤楽器に適用した第１実施形態について説明する。
この電子鍵盤楽器は、図１〜図３に示すように、楽器ケース１を備えている。この楽器ケース１は、前側上部（図１では左側上部）が開放された横長のほぼ箱形状に形成されている。
【００１４】
すなわち、この楽器ケース１は、図１〜図３に示すように、底板２と、この底板２の前端部（図１では左端部）に起立して設けられた前板３と、底板２の後端部（図１では右端部）に起立して設けられた後板４と、底板２の左右両側部（図１では紙面の表裏面の両側部）に起立して設けられた一対の側板５と、この一対の側板および後板４の上部に配置された天板６とを備えている。
【００１５】
この場合、前板３は、図１〜図３に示すように、後板４の高さのほぼ半分程度の高さで形成されている。また、一対の側板５は、その前端部が前板３よりも少し高く形成され、前後方向（図１では左右方向）におけるほぼ中間部から後部側が後板４と同じ高さで形成され、前端部から中間部に向けて後部上がりに傾斜する傾斜部５ａに形成されている。
【００１６】
天板６は、図１〜図３に示すように、前天板７と後天板８とを備えている。この場合、前天板７は、一対の側板５の後部における前側上部に配置されている。後天板８は、一対の側板５の後部における後側上部と後板４の上部とに前天板７よりも一段低い位置に配置されている。これにより、楽器ケース１は、一対の側板５の各傾斜部５ａに対応する前部側が上方に開放された横長のほぼ箱形状に形成されている。
【００１７】
この楽器ケース１内には、図１〜図３に示すように、鍵盤部１０が設けられている。この鍵盤部１０は、楽器ケース１の底板２上に配置された鍵盤シャーシ１１と、この鍵盤シャーシ１１上に上下方向に回転可能な状態で並列に配列された複数の鍵１２とを備えている。この鍵盤部１０は、複数の鍵１２が楽器ケース１の前部側から上方に露呈した状態で、押鍵操作されるように構成されている。
【００１８】
また、この楽器ケース１内には、図１〜図３に示すように、コンソールパネル９が鍵盤部１０の後部に位置する上側から天板６の前部の下側に向けて傾斜して設けられている。また、この楽器ケース１内には、鍵盤部１０の上側を覆う鍵盤蓋１３が蓋ガイド部１４によって開閉可能に設けられている。この鍵盤蓋１３は、前蓋１５と後蓋１６とを有し、この前蓋１５と後蓋１６とが蝶番１７によって折り曲げ可能に連結された構成になっている。
【００１９】
この場合、前蓋１５の前端部には、図１〜図３に示すように、ガイド軸１５ａが一対の側板５の内面に向けて突出して設けられている。また、後蓋１６の前端部には、ガイド軸１６ａが一対の側板５の内面に向けて突出して設けられている。この後蓋１６の後端部には、軸取付板１６ｂが取り付けられており、この軸取付板１６ｂには、ピニオンギア１６ｃが回転可能に取り付けられている。
【００２０】
蓋ガイド部１４は、図１〜図３に示すように、鍵盤蓋１３が鍵盤部１０の上側を覆った際に前蓋１５と後蓋１６とをほぼ平板状に配置し、かつ鍵盤蓋１３が鍵盤部１０を上側に開放した際に前蓋１５と後蓋１６とを蝶番１７で折り曲げて鍵盤部１０の後部に接近させた状態で配置させるように構成されている。この場合、蓋ガイド部１４は、ガイドレール部１８とガイド部材１９とを有している。
【００２１】
ガイドレール部１８は、図１〜図３に示すように、一対の側板５の内面に前板３の上側からコンソールパネル９の上側を経て後板４に向けて斜め上方に傾斜して設けられ、鍵盤蓋１３の前蓋１５のガイド軸１５ａと後蓋１６のガイド軸１６ａとをそれぞれガイドするように構成されている。これにより、ガイドレール部１８は、図１に示すように、前蓋１５と後蓋１６とが鍵盤部１０の上側を覆った際に、前蓋１５と後蓋１６とを前下りに傾斜させた状態で平板状に配置するように構成されている。
【００２２】
ガイド部材１９は、図１〜図３に示すように、鍵盤部１０の後端部の上部付近に位置する箇所の側板５の内面に設けられた支持軸２０と、この支持軸２０に回転自在に取り付けられたアーム部２１と、このアーム部２１の先端と後蓋１６のピニオンギア１６ｃとを連結する連結軸２２と、側板５に支持軸２０を中心とする円弧状に設けられて連結軸２２をガイドするガイド溝部２３と、後蓋１６のピニオンギア１６ｃが噛み合って回転移動する半円形状のガイド歯車部２４とを備えている。
【００２３】
これにより、蓋ガイド部１４は、図１に示すように、鍵盤蓋１３の前蓋１５と後蓋１６とが鍵盤部１０の上側を覆って閉じた際に、前蓋１５のガイド軸１５ａがガイドレール部１８の前端部に位置し、後蓋１６のガイド軸１６ａがガイドレール部１８の中間部に位置し、後蓋１６の後端部に位置する連結軸２２がガイド溝部２３の上端部に位置し、かつピニオンギア１６ｃがガイド歯車部２４の上端部に位置することにより、前蓋１５と後蓋１６とを前下がりに傾斜させた状態で平板状に配置するように構成されている。
【００２４】
また、この蓋ガイド部１４は、図２および図３に示すように、鍵盤蓋１３が開いて鍵盤部１０を上側に開放した際に、前蓋１５と後蓋１６とが蝶番１７で折れ曲がり、前蓋１５のガイド軸１５ａが鍵盤部１０の後部上方に位置するガイドレール部１８の箇所に位置し、後蓋１６のガイド軸１６ａがガイドレール部１８の後端部に位置し、この後蓋１６の後端部に位置する連結軸２２がガイド溝部２３の下端部に位置し、かつピニオンギア１６ｃがガイド歯車部２４の下端部に位置することにより、鍵盤蓋１３が鍵盤部１０の後部を覆い隠すように、後蓋１６を前蓋１５に対し折り曲げて鍵盤部１０の後部に接近させた状態で、垂下させ、かつ後述の第２放音孔２８を閉塞しない位置に配置するように構成されている。
【００２５】
ところで、楽器ケース１内には、図１〜図３に示すように、スピーカ２６が鍵盤部１０の後方に位置した状態で下向きに配置されている。すなわち、このスピーカ２６は、鍵盤蓋１３の後蓋１６が前蓋１５に対し折り曲げられて鍵盤部１０の後部に接近した状態で垂下された際に、この後蓋１６の後方に位置する箇所における鍵１２の配列方向の両側に配置されている。この場合、楽器ケース１の底板２には、スピーカ２６の音を楽器ケース１の下側に向けて放音する第１放音孔２７が設けられている。
【００２６】
また、楽器ケース１の天板６における後天板８には、図１〜図３に示すように、スピーカ２６の音を楽器ケース１の上側に向けて放音する第２放音孔２８が設けられている。この場合、前天板７は、鍵盤部１０の後部の上方に位置して後天板８よりも高い位置に配置され、鍵盤蓋１３が鍵盤部１０を上側に開放した際に、前蓋１５の上面が接近するように構成されている。また、後天板８は、スピーカ２６の上方に位置した状態で、その上面が前天板７の下面よりも少し低い高さで一対の側板５と後板４との各上部に亘って設けられている。
【００２７】
これにより、第２放音孔２８は、図１〜図３に示すように、スピーカ２６の上方に位置する後天板８に設けられている。この後天板８の上面には、第２放音孔２８を塞ぐための放音蓋３０が開閉可能に設けられている。この放音蓋３０は、その厚みが前天板７とほぼ同じ厚みで形成され、開放選択部３１によって後天板８上に開閉可能に取り付けられている。
【００２８】
この開放選択部３１は、図１〜図３に示すように、放音蓋３０を開く際に楽器ケース１の前後方向のいずれか一方側に向けて選択的に放音蓋３０を開くように構成されている。すなわち、この開放選択部３１は、放音蓋３０の前部を楽器ケース１の後天板８に対して着脱可能に取り付け、かつ放音蓋３０の前部を回転可能に保持する前側保持部３２と、放音蓋３０の後部を楽器ケース１の後天板８に対して着脱可能に取り付け、かつ放音蓋３０の後部を回転可能に保持する後側保持部３３とを備えている。
【００２９】
前側保持部３２は、図１〜図４に示すように、楽器ケースの後天板８における第２放音孔２８の前部に設けられた前側装着部３４と、放音蓋３０の前部に設けられて前側装着部３４に着脱可能に取り付けられる前側嵌合部３５とを備えている。後側保持部３３は、後天板８における第２放音孔２８の後部に設けられた後側装着部３６と、放音蓋３０の後部に設けられて後側装着部３６に着脱可能に取り付けられる後側嵌合部３７とを備えている。
【００３０】
この場合、前側装着部３４と後側装着部３６とは、図４に示すように、それぞれゴムなどの弾力を有する合成樹脂からなり、その各上面に開放されたほぼ球形状の凹部３４ａ、３６ａがそれぞれ形成されている。また、前側嵌合部３５と後側嵌合部３７とは、放音蓋３０の下面にそれぞれ取り付けられた各取付脚部３５ａ、３７ａと、これら各取付脚部３５ａ、３７ａの下端部にそれぞれ取り付けられた球形状の各突起部３５ｂ、３７ｂとを有している。
【００３１】
すなわち、前側装着部３４は、図２および図３に示すように、その凹部３４ａに前側嵌合部３５の突起部３５ｂが上方から圧入されて嵌合し、この状態で前側嵌合部３５を回転可能に保持するように構成されている。この場合、前側装着部３４は、前側嵌合部３５の突起部３５ｂが凹部３４ａに嵌合した状態で前側嵌合部３５が回転した際に、放音蓋３０を後部上りに任意の角度で傾斜させた状態で保持するように構成されている。また、この前側装着部３４は、その凹部３４ａに対する前側嵌合部３５の突起部３５ｂの圧入による嵌合力に抗して前側嵌合部３５が引き上げられると、凹部３４ａから前側嵌合部３５の突起部３５ｂが抜け出すように構成されている。
【００３２】
同様に、後側装着部３６は、図２および図３に示すように、その凹部３６ａに後側嵌合部３７の突起部３７ｂが上方から圧入されて嵌合し、この状態で後側嵌合部３７を回転可能に保持するように構成されている。この場合にも、後側装着部３６は、後側嵌合部３７の突起部３７ｂが凹部３６ａに嵌合した状態で後側嵌合部３７が回転した際に、放音蓋３０を前部上りに任意の角度で傾斜させた状態で保持するように構成されている。また、この後側装着部３６は、その凹部３６ａに対する後側嵌合部３７の突起部３７ｂの圧入による嵌合力に抗して後側嵌合部３７が引き上げられると、凹部３６ａから後側嵌合部３７の突起部３５ｂが抜け出すように構成されている。
【００３３】
次に、この電子鍵盤楽器の作用について説明する。
この電子鍵盤楽器で演奏をする場合には、まず、鍵盤蓋１３を開いて鍵盤部１０を上側に開放させる。このときには、前蓋１５の前端部を持ち上げて後方に向けて移動させると、前蓋１５のガイド軸１５ａと後蓋１６のガイド軸１６ａがガイドレール部１８に沿って移動し、後蓋１６の連結軸２２がガイド溝部２３に沿って移動すると共に、ピニオンギア１６ｃがガイド歯車部２４に噛み合って移動しながら、前蓋１５と後蓋１６とが蝶番１７で徐々に折れ曲がって楽器ケース１内の後側に向けて移動する。
【００３４】
そして、前蓋１５のガイド軸１５ａが鍵盤部１０の後部上方に位置するガイドレール部１８の箇所に位置し、後蓋１６のガイド軸１６ａがガイドレール部１８の後端部に位置し、この後蓋１６の後端部に位置する連結軸２２がガイド溝部２３の下端部に位置し、かつピニオンギア１６ｃがガイド歯車部２４の下端部に位置すると、後蓋１６が前蓋１５に対し折れ曲がって鍵盤部１０の後部に接近した状態で楽器ケース１内に垂下される。
【００３５】
これにより、鍵盤蓋１３が、図２および図３に示すように、鍵盤部１０の後部を覆い隠す。このときには、後蓋１６が鍵盤部１０の後部とスピーカ２６との間に配置されて、その両方の間を仕切る。この状態では、鍵盤部１０が上方に開放されて複数の鍵１２が上側に露呈するので、演奏が可能な状態になる。この状態で、演奏する前には、まず、天板６の放音蓋３０を開いて第２放音孔２８を開放する。
【００３６】
このとき、演奏者がスピーカ２６から放音される演奏音を聞く場合には、図２に示すように、放音蓋３０を開放選択部３１によって前上りに傾斜させて開放させる。この場合には、放音蓋３０の前端部を持ち上げて、前側嵌合部３５の突起部３５ｂを前側装着部３４の凹部３４ａから引き上げる。このときには、前側装着部３４の凹部３４ａに対する前側嵌合部３５の圧入による嵌合力に抗して、前側嵌合部３５を引き上げると、前側嵌合部３５の突起部３５ｂが前側装着部３４の凹部３４ａから抜け出す。
【００３７】
また、このときには、図２に示すように、後側嵌合部３７の突起部３７ｂが後側装着部３６の凹部３６ａに圧入されて嵌合し、この状態で後側嵌合部３７が回転可能に保持されているので、後側嵌合部３７の突起部３７ｂが後側装着部３６の凹部３６ａに嵌合した状態で回転すると共に、後側装着部３６の凹部３６ａに対する後側嵌合部３７の突起部３７ｂの圧入による嵌合力によって、放音蓋３０が前部上りに任意の角度で傾斜した状態で保持される。
【００３８】
これにより、放音蓋３０が開放選択部３１によって前上りに傾斜して開き、後天板８の第２放音孔２８が開放されるので、演奏者が鍵盤部１０を押鍵操作してスピーカ２６から楽音を発生させると、そのスピーカ２６からの音が第１放音孔２７から下側に放音されると共に、第２放音孔２８から楽器ケース１の上方に放音され、この上方に放音された音が放音蓋３０によって楽器ケース１の前側に向けて放音される。このため、演奏者がスピーカ２６から放音された演奏音を良好に聞くことができ、この放音された演奏音を聞きながら演奏することができる。
【００３９】
一方、演奏者がコンサートで演奏する際に、スピーカ２６から放音された楽音を聴衆者に聞かせる場合には、図３に示すように、放音蓋３０を開放選択部３１によって後上りに傾斜させて開放させる。この場合には、放音蓋３０の後端部を持ち上げて、後側嵌合部３７の突起部３７ｂを後側装着部３６の凹部３６ａから引き上げる。このときには、後側装着部３６の凹部３６ａに対する後側嵌合部３７の突起部３７ｂの圧入による嵌合力に抗して、後側嵌合部３７を引き上げると、後側嵌合部３７の突起部３７ｂが後側装着部３６の凹部３６ａから抜け出す。
【００４０】
また、このときには、図３に示すように、前側嵌合部３５の突起部３５ｂが前側装着部３４の凹部３４ａに圧入されて嵌合し、この状態で前側嵌合部３５が回転可能に保持されているので、前側嵌合部３５の突起部３５ｂが前側装着部３４の凹部３４ａに嵌合した状態で回転すると共に、前側装着部３４の凹部３４ａに対する前側嵌合部３５の突起部３５ｂの圧入による嵌合力によって、放音蓋３０が後部上りに任意の角度で傾斜した状態で保持される。
【００４１】
これにより、放音蓋３０が開放選択部３１によって後上りに傾斜して開き、後天板８の第２放音孔２８が開放されるので、演奏者が鍵盤部１０を押鍵操作してスピーカ２６から楽音を発生させると、そのスピーカ２６からの音が第１放音孔２７から下側に放音されると共に、第２放音孔２８から楽器ケース１の上方に放音され、この上方に放音された音が放音蓋３０によって楽器ケース１の後側に向けて放音される。このため、聴衆者がスピーカ２６から放音された演奏音を良好に聞くことができる。
【００４２】
このように、この電子鍵盤楽器によれば、前部側が上方に開放された楽器ケース１と、この楽器ケース１内に配置されて楽器ケース１の前部上側に露呈された鍵盤部１０と、楽器ケース１内における鍵盤部１０の後方に配置されたスピーカ２６と、楽器ケース１の上部である後天板８に設けられ、スピーカ２６で発生した音を放音するための第２放音孔２８と、この第２放音孔２８を開閉可能に塞ぐ放音蓋３０と、この放音蓋３０を楽器ケース１の後天板８上に保持した状態で楽器ケース１の前後方向における少なくとも一方側に向けて選択的に開放する開放選択部３１と、を備えていることにより、スピーカ２６の音を効率良く、かつ良好に放音させることができる。
【００４３】
すなわち、この電子鍵盤楽器では、楽器ケース１の後天板８に設けられた第２放音孔２８を通して楽器ケース１内に設けられたスピーカ２６の音を楽器ケース１の外部に良好に放音することができると共に、第２放音孔２８を塞ぐ放音蓋３０を開放選択部３１によって楽器ケース１の前後方向における少なくとも一方側に向けて開放することができるので、スピーカ２６の音を楽器ケース１の前側と後側との少なくともいずれかの方向に選択して放音することができ、これによりスピーカ２６の音を効率良く、かつ良好に放音させることができる。
【００４４】
この場合、開放選択部３１は、放音蓋３０の前部を楽器ケース１の上部である後天板８に対して着脱可能に取り付け、かつ放音蓋３０の前部を回転可能に保持する前側保持部３２と、放音蓋３０の後部を楽器ケース１の後天板８に対して着脱可能に取り付け、かつ放音蓋３０の後部を回転可能に保持する後側保持部３３とを備えていることにより、後天板８に対する放音蓋３０の前部の取り付けを前側保持部３２で解除して、後側保持部３３で放音蓋３０の後部を保持することができ、これにより放音蓋３０を前上がりに開くことができ、また後天板８に対する放音蓋３０の後部の取り付けを後側保持部３３で解除して、前側保持部３２で放音蓋３０の前部を保持することができ、これにより放音蓋３０を後上がりに開くことができる。
【００４５】
すなわち、前側保持部３２は、楽器ケース１の後天板８における第２放音孔２８の前部に設けられた前側装着部３４と、放音蓋３０の前部に設けられて前側装着部３４に着脱可能に取り付けられ、かつ前側装着部３４に対して回転して放音蓋３０を任意の傾斜角度で保持する前側嵌合部３５とを備えており、後側保持部３３は、楽器ケース１の後天板８における第２放音孔２８の後部に設けられた後側装着部３６と、放音蓋３０の後部に設けられて後側装着部３６に着脱可能に取り付けられ、かつ後側装着部３６に対して回転して放音蓋３０を任意の傾斜角度で保持する後側嵌合部３７とを備えていることにより、放音蓋３０を簡単に楽器ケース１の前後方向のいずれかに向けて開くことができる。
【００４６】
従って、この開放選択部３１では、放音蓋３０の前端部を持ち上げて、前側装着部３４の凹部３４ａに対する前側嵌合部３５の突起部３５ｂの圧入による嵌合力に抗して、前側嵌合部３５を引き上げることにより、前側嵌合部３５の突起部３５ｂを前側装着部３４の凹部３４ａから抜き出することができ、この状態で後側装着部３６の凹部３６ａに圧入されて嵌合した後側嵌合部３７の突起部３７ｂを回転させることにより、後側装着部３６の凹部３６ａに対する後側嵌合部３７の突起部３７ｂの圧入による嵌合力によって、放音蓋３０を前部上りに任意の角度で傾斜させた状態で保持することができる。
【００４７】
これにより、放音蓋３０を開放選択部３１によって前上りに傾斜させて開くことができ、後天板８の第２放音孔２８を開放することができるので、演奏者が鍵盤部１０を押鍵操作してスピーカ２６から楽音を発生させると、そのスピーカ２６から放音された音を放音蓋３０によって楽器ケース１の前側に向けて放音させることができる。このため、演奏者がスピーカ２６から放音された演奏音を良好に聞くことができ、この放音された演奏音を聞きながら演奏することができる。
【００４８】
また、この開放選択部３１では、放音蓋３０の後端部を持ち上げて、後側装着部３６の凹部３６ａに対する後側嵌合部３７の突起部３７ｂの圧入による嵌合力に抗して、後側嵌合部３７を引き上げることにより、後側嵌合部３７の突起部３７ｂを後側装着部３６の凹部３６ａから抜く出することができ、この状態で前側装着部３４の凹部３４ａに圧入されて嵌合した前側嵌合部３５の突起部３５ｂを回転させることにより、前側装着部３４の凹部３４ａに対する前側嵌合部３５の突起部３５ｂの圧入による嵌合力によって、放音蓋３０を後部上りに任意の角度で傾斜させた状態で保持することができる。
【００４９】
これにより、放音蓋３０を開放選択部３１によって後上りに傾斜させて開くことができ、後天板８の第２放音孔２８を開放することができるので、演奏者が鍵盤部１０を押鍵操作してスピーカ２６から楽音を発生させると、そのスピーカ２６からの音が第２放音孔２８から楽器ケース１の上方に放音された際に、その放音された音を放音蓋３０によって楽器ケース１の後側に向けて放音させることができる。このため、聴衆者がスピーカ２６から放音された演奏音を良好に聞くことができる。
【００５０】
また、この電子鍵盤楽器では、前蓋１５と後蓋１６とが蝶番１７によって折り曲げ可能に連結されて鍵盤部１０を開閉可能に覆う鍵盤蓋１３と、鍵盤部１０を上側に開放した際に、鍵盤蓋１３を折り曲げた状態で、鍵盤部１０の後部とスピーカ２６との間で、かつ第２放音孔２８を閉塞しない位置に配置させる蓋ガイド部１４と、を備えているので、鍵盤蓋１３が鍵盤部１０を開放させて上側に露呈させた状態で、この鍵盤部１０を押鍵操作してスピーカ２６から楽音を発生させた際に、その楽音を楽器ケース１に設けられた第２放音孔２８から確実に、かつ良好に楽器ケース１の外部に放音させることができるので、スピーカ２６の音を効率良く、かつ良好に放音させることができる。
【００５１】
この場合、蓋ガイド部１４は、鍵盤部１０の上側を鍵盤蓋１３で覆った際に前蓋１５と後蓋１６とをほぼ平板状に配置し、かつ鍵盤部１０を鍵盤蓋１３が上側に開放した際に、前蓋１５と後蓋１６とを折り曲げて鍵盤蓋１３を、鍵盤部１０の後部に接近させた状態で、鍵盤部１０の後部とスピーカ２６との間に配置させる構成であるから、鍵盤蓋１３を開いて楽器ケース１内に収納した際に、前蓋１５と後蓋１６とによって鍵盤部１０の後部を覆うことができると共に、後蓋１６によって鍵盤部１０の後部とスピーカ２６との間を仕切ることができ、これにより鍵盤部１０の後方に位置する楽器ケース１内に音響空間を形成することができる。
【００５２】
（第２実施形態）
次に、図５〜図７を参照して、この発明を電子鍵盤楽器に適用した第２実施形態について説明する。なお、図１〜図４に示された第１実施形態と同一部分には同一符号を付して説明する。
この電子鍵盤楽器は、図５〜図７に示すように、開放選択部３１の前側装着部３４を支持する前側支持部材４０と、後側装着部３６を支持する後側支持部材４１とを備えた構成であり、これ以外は第１実施形態とほぼ同じ構成になっている。
【００５３】
この場合、前側支持部材４０と後側支持部材４１とは、図６および図７に示すように、それぞれ上下方向に伸縮するロッドアンテナとほぼ同じ構成になっている。すなわち、前側支持部材４０と後側支持部材４１とは、それぞれ大径のパイプ４３内に小径のパイプ４４をスライド可能に挿入し、この小径のパイプ４４内に軸部４５をスライド可能に挿入し、この軸部４５の上端部で前側装着部３４と後側装着部３６との一方をそれぞれ支持するように構成されている。
【００５４】
また、前側支持部材４０と後側支持部材４１とは、図６に示すように、大径のパイプ４３と小径のパイプ４４との間、および小径のパイプ４４と軸部４５との間に、その両方に摩擦抵抗を付与する筒部材４６がそれぞれ設けられた構成になっている。この筒部材４６は、それぞれ弾性を有する合成樹脂によって形成されている。
【００５５】
これにより、前側支持部材４０と後側支持部材４１とは、図６に示すように、大径のパイプ４３に対して小径のパイプ４４をスライドさせた際に、筒部材４６の摩擦抵抗によって小径のパイプ４４を大径のパイプ４３に対する任意の位置に保持すると共に、小径のパイプ４４に対して軸部４５をスライドさせた際にも、筒部材４６の摩擦抵抗によって軸部４５を小径のパイプ４４に対する任意の位置に保持するように構成されている。
【００５６】
この場合、大径のパイプ４３の上端部には、図６に示すように、小径のパイプ４４の外周面に向けて突出した抜止め部４３ａが設けられており、小径のパイプ４４の下端部には、大径のパイプ４３の内周面に向けて突出した鍔部４４ａが設けられている。これにより、小径のパイプ４４は、その鍔部４４ａが大径のパイプ４３の抜止め部４３ａに当接することにより、大径のパイプ４３から上方に抜け出さないように構成されている。
【００５７】
また、小径のパイプ４４の上端部には、図６に示すように、軸部４５の外周面に向けて突出した抜止め部４４ｂが設けられており、軸部４５の下端部には、小径のパイプ４４の内周面に向けて突出した鍔部４５ａが設けられている。これにより、軸部４５は、その鍔部４５ａが小径のパイプ４４の抜止め部４４ｂに当接することにより、小径のパイプ４４から上方に抜け出さないように構成されている。
【００５８】
ところで、前側支持部材４０は、図５および図６に示すように、楽器ケースの後天板８における第２放音孔２８の前部（図５では左側部）に位置する箇所に上下方向に伸縮自在に埋設され、この状態で軸部４５の上端部に前側装着部３４の取付部３４ｂがビス４７によって取り付けられるように構成されている。この場合、後天板８における第２放音孔２８の前部に位置する箇所には、前側支持部材４０が挿入する貫通孔８ａが設けられている。また、この後天板８の下面には、前側支持部材４０が挿入して取り付けられる取付筒部４８が貫通孔８ａに対応してビス４８ａによって取り付けられている。
【００５９】
これにより、前側支持部材４０は、図５および図６に示すように、大径のパイプ４３が取付筒部４８内に取り付けられ、この大径のパイプ４３内に小径のパイプ４４が収納され、この小径のパイプ４４内に軸部４５が収納され、この軸部４５の上端部が後天板８の貫通孔８ａ内に配置され、この軸部４５の上端部に取り付けられた前側装着部３４が後天板８の上側に突出した状態で支持されるように構成されている。また、この前側支持部材４０は、小径のパイプ４４および軸部４５が後天板８の貫通孔８ａを通して後天板８の上方に伸縮自在に伸びるように構成されている。
【００６０】
同様に、後側支持部材４１は、図５に示すように、楽器ケースの後天板８における第２放音孔２８の後部（図５では右側部）に位置する箇所に上下方向に伸縮自在に埋設され、この状態で軸部４５の上端部に後側装着部３６の取付部３６ｂがビス４７によって取り付けられるように構成されている。この場合にも、後天板８における第２放音孔２８の後部に位置する箇所には、後側支持部材４１が挿入する貫通孔８ａが設けられている。また、この後天板８の下面には、後側支持部材４１が挿入して取り付けられる取付筒部４８が貫通孔８ａに対応してビス４８ａによって取り付けられている。
【００６１】
これにより、後側支持部材４１は、図５および図６に示すように、大径のパイプ４３が取付筒部４８内に取り付けられ、この大径のパイプ４３内に小径のパイプ４４が収納され、この小径のパイプ４４内に軸部４５が収納され、この軸部４５の上端部が後天板８の貫通孔８ａ内に配置され、この軸部４５の上端部に取り付けられた後側装着部３６が後天板８の上側に突出した状態で支持されるように構成されている。また、この後側支持部材４１も、小径のパイプ４４および軸部４５が後天板８の貫通孔８ａを通して後天板８の上方に伸縮自在に伸びるように構成されている。
【００６２】
次に、この電子鍵盤楽器の作用について説明する。
まず、鍵盤蓋１３を開いて鍵盤部１０を上側に開放させ、この状態で演奏する前に放音蓋３０を開いて第２放音孔２８を開放する場合について説明する。このときに、演奏者がコンサートで演奏する際に、スピーカ２６から放音される楽音を聴衆者に聞かせる際には、図５に示すように、放音蓋３０を開放選択部３１によって後上りに傾斜させて開放させる。
【００６３】
この場合には、放音蓋３０の後端部を持ち上げて、後側嵌合部３７の突起部３７ｂを後側装着部３６の凹部３６ａに嵌合させた状態で、後側支持部材４１を後天板８の上方に伸縮自在に引き伸ばす。このときには、図６に示すように、取付筒部４８内に取り付けられた大径のパイプ４３内から小径のパイプ４４が引き出されると共に、この小径のパイプ４４内から軸部４５が引き出される。
【００６４】
すると、図５に示すように、軸部４５が後天板８の貫通孔８ｂを通して後天板８の上方に突出し、この突出した軸部４５の上端部に取り付けられた後側装着部３６が後天板８の上方に押し上げられ、この状態で後側装着部３６が後側支持部材４１によって後天板８の上方に支持される。これにより、放音蓋３０の後部が後天板８の上方に押し上げられて支持される。この状態では、後側支持部材４１の小径のパイプ４４および軸部４５が筒部材４６の摩擦力によって任意の位置に保持されているので、後側支持部材４１が放音蓋３０をその重量に抗して支持する。
【００６５】
また、このときには、図５に示すように、前側支持部材４０が収縮して後天板８の貫通孔８ａ内および取付筒部４８内に収納された状態で、前側装着部３４を貫通孔８ａの上部に支持している。この状態で、前側装着部３４の凹部３４ａに嵌合した前側嵌合部３５の突起部３５ｂが、後側支持部材４１の引き出し動作に応じて回転する。これにより、後側支持部材４１で押し上げられた後側装着部３６によって放音蓋３０が後部上りに任意の角度で傾斜した状態で保持される。
【００６６】
これにより、第１実施形態と同様、放音蓋３０が開放選択部３１によって後上りに傾斜して開き、後天板８の第２放音孔２８が開放されるので、演奏者が鍵盤部１０を押鍵操作してスピーカ２６から楽音を発生させると、そのスピーカ２６からの音が第２放音孔２８から楽器ケース１の上方に放音され、この放音された音が放音蓋３０によって楽器ケース１の後側に向けて放音される。このため、聴衆者がスピーカ２６から放音された演奏音を良好に聞くことができる。
【００６７】
一方、演奏者がスピーカ２６から放音された演奏音を聞く場合には、放音蓋３０を開放選択部３１によって前上りに傾斜させて開放させる。この場合には、放音蓋３０の前端部を持ち上げて、前側嵌合部３５の突起部３５ｂを前側装着部３４の凹部３４ａに嵌合させた状態で、前側支持部材４０を後天板８の上方に伸縮自在に引き伸ばす。このときにも、図６に示すように、取付筒部４８内に取り付けられた大径のパイプ４３内から小径のパイプ４４が引き出されると共に、この小径のパイプ４４内から軸部４５が引き出される。
【００６８】
すると、軸部４５が後天板８の貫通孔８ａを通して後天板８の上方に突出し、この突出した軸部４５の上端部に取り付けられた前側装着部３４が後天板８の上方に押し上げられ、この状態で前側装着部３４が前側支持部材４０によって後天板８の上方に支持される。これにより、放音蓋３０の前部が後天板８の上方に押し上げられて支持される。この状態では、前側支持部材４０の小径のパイプ４４および軸部４５が筒部材４６の摩擦力によって任意の位置に保持されているので、前側支持部材４０が放音蓋３０をその重量に抗して支持する。
【００６９】
また、このときには、後側支持部材４１が収縮して後天板８の貫通孔８ｂ内および取付筒部４８内に収納された状態で、後側装着部３６を貫通孔８ｂの上部に支持している。この状態で、後側装着部３６の凹部３６ａに嵌合した後側嵌合部３７の突起部３７ｂが、前側支持部材４０の引き出し動作に応じて回転する。これにより、前側支持部材４０で押し上げられた前側装着部３４によって放音蓋３０が前部上りに任意の角度で傾斜した状態で保持される。
【００７０】
これにより、第１実施形態と同様、放音蓋３０が開放選択部３１によって前上りに傾斜して開き、後天板８の第２放音孔２８が開放されるので、演奏者が鍵盤部１０を押鍵操作してスピーカ２６から楽音を発生させると、そのスピーカ２６からの音が第２放音孔２８から楽器ケース１の上方に放音され、この放音された音が放音蓋３０によって楽器ケース１の前側に向けて放音される。このため、演奏者がスピーカ２６から放音された演奏音を良好に聞くことができ、この放音された演奏音を聞きながら演奏することができる。
【００７１】
このように、この第２実施形態の電子鍵盤楽器においても、第１実施形態と同様の作用効果があるほか、前側装着部３４が楽器ケース１の後天板８における第２放音孔２８の前部に位置する箇所に上下方向に伸縮自在に設けられた前側支持部材４０に取り付けられており、後側装着部３６が楽器ケース１の後天板８における第２放音孔２８の後部に位置する箇所に上下方向に伸縮自在に設けられた後側支持部材４１に取り付けられているので、放音蓋３０を前後方向のいずれかの方向に傾けて開いた際に、第１実施形態よりも、安定した状態で確実に放音蓋３０を支持することができる。
【００７２】
すなわち、前側支持部材４０と後側支持部材４１とは、それぞれ大径のパイプ４３内に小径のパイプ４４をスライド可能に挿入し、この小径のパイプ４４内に軸部４５をスライド可能に挿入し、この軸部４５の上端部で前側装着部３４と後側装着部３６との一方をそれぞれ支持し、かつ大径のパイプ４３と小径のパイプ４４との間、および小径のパイプ４４と軸部４５との間に、その両方に摩擦抵抗を付与する筒部材４６をそれぞれ設けた構成であるから、筒部材４６の摩擦抵抗によって小径のパイプ４４および軸部４５を任意の引き出し位置に保持することができ、これにより放音蓋３０を安定した状態で確実に支持することができる。
【００７３】
（第３実施形態）
次に、図８を参照して、この発明を電子鍵盤楽器に適用した第３実施形態について説明する。この場合にも、図１〜図４に示された第１実施形態と同一部分に同一符号を付して説明する。
この電子鍵盤楽器は、図８に示すように、放音蓋３０を前側放音蓋部５０と後側放音蓋部５１とに分割し、この前側放音蓋部５０と後側放音蓋部５１とを連結部５２によって回転可能に連結した構成であり、これ以外は第１実施形態とほぼ同じ構成になっている。
【００７４】
この場合、連結部５２は、図８に示すように、前側放音蓋部５０の後端面（図８では右端面）における両側（図８では紙面の表裏方向の両側）に設けられた連結嵌合部５３と、後側放音蓋部５１の前端面（図８では左端面）における両側（図８では紙面の表裏方向の両側）に設けられて連結嵌合部５３が回転可能に装着する連結装着部５４とを備えている。
【００７５】
この連結装着部５４は、図８に示すように、左面に開放されたほぼ球形状の凹部５４ａが形成された構成になっている。また、連結嵌合部５３は、前側放音蓋部５０の後端面に取り付けられた取付脚部５３ａと、この取付脚部５３ａの先端部に取り付けられた球形状の突起部５３ｂとを有している。
【００７６】
すなわち、連結装着部５４は、図８に示すように、その凹部５４ａに連結嵌合部５３の突起部５３ｂが側方から圧入されて嵌合し、この状態で連結嵌合部５３の突起部５３ｂを回転可能に保持するように構成されている。この場合、連結装着部５４は、連結嵌合部５３の突起部５３ｂが凹部５４ａに嵌合した状態で連結嵌合部５３が回転した際に、前側放音蓋部５０と後側放音蓋部５１とのいずれか一方を任意の角度に折り曲げた状態で保持するように構成されている。
【００７７】
次に、この電子鍵盤楽器の作用について説明する。
まず、鍵盤蓋１３を開いて鍵盤部１０を上側に開放させ、この状態で演奏する前に放音蓋３０を開いて第２放音孔２８を開放する場合について説明する。このときに、演奏者がスピーカ２６から放音される演奏音を聞く際には、図８に示すように、放音蓋３０を開放選択部３１によって前上りに傾斜させて開放させる。
【００７８】
この場合には、第１実施形態と同様、放音蓋３０の前端部を持ち上げて、前側装着部３４の凹部３４ａに対する前側嵌合部３５の突起部３５ｂの圧入による嵌合力に抗して、前側嵌合部３５を引き上げることにより、前側嵌合部３５の突起部３５ｂを前側装着部３４の凹部３４ａから抜き出す。また、このときには、後側嵌合部３７の突起部３７ｂが後側装着部３６の凹部３６ａに圧入されて嵌合し、この状態で後側嵌合部３７が回転可能に保持されているので、後側嵌合部３７の突起部３７ｂが後側装着部３６の凹部３６ａに嵌合した状態で回転する。
【００７９】
このため、第１実施形態と同様、後側装着部３６の凹部３６ａに対する後側嵌合部３７の突起部３７ｂの圧入による嵌合力によって、放音蓋３０が前部上りに任意の角度で傾斜した状態で保持される。この状態で、図８に示すように、前側放音蓋部５０を連結部５２で回転させて任意の角度に折り曲げる。すなわち、前側放音蓋部５０の連結嵌合部５３の突起部５３ｂが後側放音蓋部５１の連結装着部５４の凹部５４ａに圧入されて嵌合し、この状態で連結嵌合部５３が回転可能に保持されているので、連結嵌合部５３の突起部５３ｂが連結装着部５４の凹部５４ａに嵌合した状態で回転する。
【００８０】
このときには、図８に示すように、前側放音蓋部５０が後側放音蓋部５１に対して任意の角度に折り曲げられ、この折り曲げられた状態で、連結装着部５４の凹部５４ａに対する連結嵌合部５３の突起部５３ｂの圧入による嵌合力によって、前側放音蓋部５０が保持される。これにより、放音蓋３０が前側に向けて開き、後天板８の第２放音孔２８が開放される。
【００８１】
このため、演奏者が鍵盤部１０を押鍵操作してスピーカ２６から楽音を発生させると、そのスピーカ２６からの音が第２放音孔２８から楽器ケース１の上方に放音され、この放音された音が放音蓋３０によって楽器ケース１の前側に向けて放音される。このときに、連結部５２を中心に前側放音蓋部５０を前下がりに回転させて後天板８とほぼ平行な状態にすると、スピーカ２６からの音を演奏者に向けて集音するような指向性をもって放音させることができる。
【００８２】
また、このときに、連結部５２を中心に前側放音蓋部５０を前上がりに回転させて後天板８に対して前上がりに傾斜させた状態にすると、スピーカ２６からの音を演奏者に向けて拡散するような指向性をもって放音させることができる。これにより、演奏者がスピーカ２６から放音された演奏音を良好に聞くことができ、この放音された演奏音を聞きながら演奏することができる。
【００８３】
一方、演奏者がコンサートで演奏する際に、スピーカ２６から放音される楽音を聴衆者に聞かせる際には、第１実施形態と同様、放音蓋３０の後端部を持ち上げて、後側装着部３６の凹部３６ａに対する後側嵌合部３７の突起部３７ｂの圧入による嵌合力に抗して、後側嵌合部３７を引き上げることにより、後側嵌合部３７の突起部３７ｂを後側装着部３６の凹部３６ａから抜き出す。また、このときには、前側嵌合部３５の突起部３５ｂが前側装着部３４の凹部３４ａに圧入されて嵌合し、この状態で前側嵌合部３５が回転可能に保持されているので、前側嵌合部３５の突起部３５ｂが前側装着部３４の凹部３４ａに嵌合した状態で回転する。
【００８４】
このため、第１実施形態と同様、前側装着部３４の凹部３４ａに対する前嵌合部３５の突起部３５ｂの圧入による嵌合力によって、放音蓋３０が後部上りに任意の角度で傾斜した状態で保持される。この状態で、放音蓋３０の後側放音蓋部５１を連結部５２で回転させて任意の角度に折り曲げる。すなわち、前側放音蓋部５０の連結嵌合部５３の突起部５３ｂが後側放音蓋部５１の連結装着部５４の凹部５４ａに圧入されて嵌合し、この状態で連結嵌合部５３が回転可能に保持されているので、連結嵌合部５３の突起部５３ｂが連結装着部５４の凹部５４ａに嵌合した状態で回転する。
【００８５】
このときには、放音蓋３０の後側放音蓋部５１が前側放音蓋部５０に対して任意の角度に折り曲げられ、この折り曲げられた状態で、連結装着部５４の凹部５４ａに対する連結嵌合部５３の突起部５３ｂの圧入による嵌合力によって、後側放音蓋部５１が保持される。これにより、放音蓋３０が後側に向けて開き、後天板８の第２放音孔２８が開放される。このため、演奏者が鍵盤部１０を押鍵操作してスピーカ２６から楽音を発生させると、そのスピーカ２６からの音が第２放音孔２８から楽器ケース１の上方に放音され、この放音された音が放音蓋３０によって楽器ケース１の後側に向けて放音される。
【００８６】
このときに、連結部５２を中心に後側放音蓋部５１を後下がりに回転させて後天板８とほぼ平行な状態にすると、スピーカ２６からの音を聴衆側に向けて集音するような指向性をもって放音させることができる。また、このときに、連結部５２を中心に後側放音蓋部５１を後上がりに回転させて後天板８に対して後上がりに傾斜させた状態にすると、スピーカ２６からの音を聴衆側に向けて拡散するような指向性をもって放音させることができる。このため、聴衆者がスピーカ２６から放音された演奏音を良好に聞くことができる。
【００８７】
このように、この第３実施形態の電子鍵盤楽器によれば、第１実施形態と同様の効果があるほか、放音蓋３０を前側放音蓋部５０と後側放音蓋部５１とに分割し、前側放音蓋部５０と後側放音蓋部５１とを連結部５２によって回転可能に連結し、かつこの連結部５２によって前側放音蓋部５０と後側放音蓋部５１とを互いに任意の角度で傾斜させて保持するように構成したので、スピーカ２６からの音を楽器ケース１の前後方向のいずれかの方向に向けて集音または拡散するような指向性をもたせて良好に放音させることができる。
【００８８】
すなわち、連結部５２は、前側放音蓋部５０の後端面における両側に設けられた連結嵌合部５３と、後側放音蓋部５１の前端面における両側に設けられて連結嵌合部５３が回転可能に装着する連結装着部５４とを備え、連結装着部５４に連結嵌合部５３が嵌合した状態で回転し、放音蓋３０の前側放音蓋部５０と後側放音蓋部５１とを任意の角度に折り曲げた状態で保持するように構成されていることにより、スピーカ２６からの音を楽器ケース１の前後方向のいずれかの方向に向けて集音または拡散するような指向性をもたせて良好に放音させることができる。
【００８９】
（第４実施形態）
次に、図９を参照して、この発明を電子鍵盤楽器に適用した第４実施形態について説明する。この場合には、図８に示された第３実施形態と同一部分に同一符号を付して説明する。
この電子鍵盤楽器は、図９に示すように、連結部５２によって連結された箇所における前側放音蓋部５０を楽器ケース１の後天板８に着脱可能に取り付け、かつ前側放音蓋部５０を回転可能に保持する中間保持部６０を備えた構成であり、これ以外は第３実施形態とほぼ同じ構成になっている。
【００９０】
すなわち、この中間保持部６０は、図９に示すように、楽器ケース１の後天板８における第２放音孔２８の前後方向の中間部に対応する箇所に設けられた中間装着部６１と、放音蓋３０の前側放音蓋部５０に設けられて中間装着部６１に回転可能に取り付けられた中間嵌合部６２とを備えている。
【００９１】
この場合、中間装着部６１は、図９に示すように、楽器ケース１の後天板８における第２放音孔２８の左右両側（図９では紙面の表裏面方向の両側）において、第２放音孔２８の前後方向の中間部に対応する箇所にそれぞれ設けられている。この中間装着部６１は、それぞれゴムなどの弾力を有する合成樹脂からなり、その各上面に開放されたほぼ球形状の凹部６１ａが形成された構成になっている。
【００９２】
また、中間嵌合部６２は、図９に示すように、放音蓋３０の前側放音蓋部５０の後部下面における両側（図９では紙面の表裏面方向の両側）に位置する箇所に取り付けられた取付脚部６２ａと、この取付脚部６２ａの下端部に取り付けられた球形状の突起部６２ｂとを有している。これにより、中間装着部６１は、その凹部６１ａに中間嵌合部６２の突起部６２ｂが上方から圧入されて嵌合し、この状態で中間嵌合部６２を回転可能に保持するように構成されている。
【００９３】
この場合、中間装着部６１は、図９に示すように、中間嵌合部６２の突起部６２ｂが凹部６１ａに嵌合した状態で中間嵌合部６２が回転した際に、放音蓋３０の前側放音蓋部５０を前上りに任意の角度で傾斜させた状態で保持するように構成されている。また、この中間装着部６１は、その凹部６１ａに対する中間嵌合部６２の突起部６２ｂの圧入による嵌合力に抗して中間嵌合部６２が引き上げられると、凹部６１ａから中間嵌合部６２の突起部６２ｂが抜け出すように構成されている。
【００９４】
次に、この電子鍵盤楽器の作用について説明する。
まず、鍵盤蓋１３を開いて鍵盤部１０を上側に開放させ、この状態で演奏する前に放音蓋３０を開いて第２放音孔２８を開放する場合について説明する。このときに、演奏者がコンサートで演奏する際に、スピーカ２６から放音された楽音を聴衆者と演奏者とに向けて放音させる場合には、図９に示すように、放音蓋３０の前側放音蓋部５０と後側放音蓋部５１とをそれぞれ前側と後側とに向けて開放させる。
【００９５】
このときには、中間装着部６１に中間嵌合部６２を嵌合させた状態で、まず、放音蓋３０の後側放音蓋部５１の後端部を持ち上げて、後側装着部３６の凹部３６ａに対する後側嵌合部３７の突起部３７ｂの圧入による嵌合力に抗して、後側嵌合部３７の突起部３７ｂを後側装着部３６の凹部３６ａから抜き出す。このときには、連結部５２の連結嵌合部５３の突起部５３ｂが連結装着部５４の凹部５４ａに圧入されて嵌合し、この状態で連結嵌合部５３が回転可能に保持されている。
【００９６】
このため、連結嵌合部５３の突起部５３ｂが連結装着部５４の凹部５４ａに嵌合した状態で回転すると共に、連結装着部５４の凹部５４ａに対する連結嵌合部５３の突起部５３ｂの圧入による嵌合力によって、放音蓋３０の後側放音蓋部５１が後部上りに傾斜した状態で保持される。これにより、放音蓋３０の後側放音蓋部５１が後上りに傾斜して開き、後天板８の第２放音孔２８の後部側の半分が開放される。
【００９７】
この状態で、放音蓋３０の前側放音蓋部５０の前端部を持ち上げて、前側装着部３４の凹部３４ａに対する前側嵌合部３５の突起部３５ｂの圧入による嵌合力に抗して、前側嵌合部３５の突起部３５ｂを前側装着部３４の凹部３４ａから抜き出す。このときには、中間嵌合部６２の突起部６２ｂが中間装着部６１の凹部６１ａに圧入されて嵌合し、この状態で中間嵌合部６２が回転可能に保持されている。
【００９８】
このため、中間嵌合部６２の突起部６２ｂが中間装着部６１の凹部６１ａに嵌合した状態で回転すると共に、中間装着部６１の凹部６１ａに対する中間嵌合部６２の突起部６２ｂの圧入による嵌合力によって、放音蓋３０の前側放音蓋部５０が前部上りに傾斜した状態で保持される。これにより、放音蓋３０の前側放音蓋部５０が前部上りに傾斜して開き、後天板８の第２放音孔２８の前部側の半分が開放される。
【００９９】
この状態で、演奏者が鍵盤部１０を押鍵操作してスピーカ２６から楽音を発生させると、そのスピーカ２６からの音が第２放音孔２８から楽器ケース１の上方に放音され、この放音された音が放音蓋３０の前側放音蓋部５０と後側放音蓋部５１とによって楽器ケース１の前側と後側との両方に放音される。これにより、スピーカ２６から放音された楽音を聴衆者と演奏者との両方が良好に聞くことができる。
【０１００】
また、スピーカ２６から放音された楽音を演奏者のみに向けて放音させる場合には、放音蓋３０の中間部を持ち上げて、中間装着部６１の凹部６１ａに対する中間嵌合部６２の突起部６２ｂの圧入による嵌合力に抗して、中間嵌合部６２の突起部６２ｂを中間装着部６１の凹部６１ａから抜き出す。この状態で、第１実施形態と同様、放音蓋３０の前側放音蓋部５０の前端部を持ち上げて、前側嵌合部３５の突起部３５ｂを前側装着部３４の凹部３４ａから抜き出す。
【０１０１】
すると、前側嵌合部３５の突起部３５ｂが前側装着部３４の凹部３４ａに嵌合した状態で回転すると共に、前側装着部３４の凹部３４ａに対する前側嵌合部３５の突起部３５ｂの圧入による嵌合力によって、放音蓋３０が前部上りに傾斜した状態で保持される。これにより、放音蓋３０が前部上りに傾斜して開き、後天板８の第２放音孔２８が開放される。この場合にも、第３実施形態と同様、前側放音蓋部５０を連結部５２で折り曲げることにより、スピーカ２６からの音を演奏者に向けて集音または拡散するような指向性をもたせて放音させることができる。
【０１０２】
同様に、スピーカ２６から放音される楽音を聴衆側のみに向けて放音させる場合には、放音蓋３０の中間部を持ち上げて、中間装着部６１の凹部６１ａに対する中間嵌合部６２の突起部６２ｂの圧入による嵌合力に抗して、中間嵌合部６２の突起部６２ｂを中間装着部６１の凹部６１ａから抜き出す。この状態で、放音蓋３０の後側放音蓋部５１の後端部を持ち上げて、後側嵌合部３７の突起部３７ｂを後側装着部３６の凹部３６ａから抜き出す。
【０１０３】
すると、後側嵌合部３７の突起部３７ｂが後側装着部３６の凹部３６ａに嵌合した状態で回転すると共に、後側装着部３６の凹部３６ａに対する後側嵌合部３７の突起部３７ｂの圧入による嵌合力によって、放音蓋３０が後部上りに傾斜した状態で保持される。これにより、放音蓋３０が後部上りに傾斜して開き、後天板８の第２放音孔２８が開放される。この場合にも、第３実施形態と同様、後側放音蓋部５０を連結部５２で折り曲げることにより、スピーカ２６からの音を聴衆者に向けて集音または拡散するような指向性をもたせて放音させることができる。
【０１０４】
このように、この第４実施形態の電子鍵盤楽器によれば、第１、第３の各実施形態と同様の作用効果があるほか、連結部５２によって連結された箇所における前側放音蓋部５０を楽器ケース１の後天板８に着脱可能に取り付け、かつ前側放音蓋部５０を回転可能に保持する中間保持部６０を備えているので、前側放音蓋部５０と後側放音蓋部５１とを楽器ケース１の前後方向に向けて開放させて、演奏者と聴衆者との両方に向けて放音させることができる。
【０１０５】
この場合、中間保持部６０は、楽器ケース１の後天板８における第２放音孔２８の前後方向の中間部に対応する箇所に設けられた中間装着部６１と、連結部５２によって連結された箇所における前側放音蓋部５０に設けられて中間装着部６１に着脱可能に取り付けられ、かつ中間装着部６１に対して回転して前側放音蓋部５０と後側放音蓋部５１とを任意の傾斜角度で保持する中間嵌合部６２と、を備えているので、中間装着部６１に中間嵌合部６２を嵌合させた状態で、中間嵌合部６２を中心に前側放音蓋部５０と後側放音蓋部５１とを回転させることができ、これにより前側放音蓋部５０と後側放音蓋部５１とを楽器ケース１の前後方向に向けて開放させて、演奏者と聴衆者との両方に向けて放音させることができる。
【０１０６】
すなわち、この電子鍵盤楽器では、中間装着部６１に中間嵌合部６２を嵌合させた状態で、放音蓋３０の後側放音蓋部５１の後端部を持ち上げて、放音蓋３０の後側放音蓋部５１を後部上りに傾斜させた状態で保持することができると共に、放音蓋３０の前側放音蓋部５０の前端部を持ち上げて、放音蓋３０の前側放音蓋部５０を前部上りに傾斜させた状態で保持することができる。これにより、後側放音蓋部５１によって後天板８の第２放音孔２８の後部側の半分を聴衆側に向けて開放することができると共に、放音蓋３０の前側放音蓋部５０によって後天板８の第２放音孔２８の前部側の半分を演奏者側に向けて開放することができる。
【０１０７】
なお、上述した第４実施形態では、中間嵌合部６２を連結部５２の近傍に位置する前側放音蓋部５０の下面に設けた場合について述べたが、これに限らず、中間嵌合部６２を連結部５２の近傍に位置する後側放音蓋部５１の下面に設けた構成であっても良い。
【０１０８】
また、上述した第３、第４の各実施形態では、前側装着部３４と後側装着部３６とを楽器ケース１の後天板８上に設けた場合について述べたが、これに限らず、例えば第２実施形態のように、前側装着部３４を上下方向に伸縮する前側支持部材４０に取り付けると共に、後側装着部３６を上下方向に伸縮する後側支持部材４１に取り付けるように構成しても良い。
【０１０９】
また、上述した第１〜第４の各実施形態では、前側装着部３４、後側装着部３６、連結装着５４、および中間装着部６１にほぼ球状の凹部３４ａ、３６ａ、５４ａ、６１ａを形成し、前側嵌合部３５、後側嵌合部３７、連結嵌合部５３、および中間嵌合部６２に球状の突起部３５ｂ、３７ｂ、５３ｂ、６２ｂを設けた場合について述べたが、これに限らず、例えば凹部３４ａ、３６ａ、５４ａ、６１ａを円弧状に形成し、突起部３５ｂ、３７ｂ、５３ｂ、６２ｂを丸棒状に形成しても良い。
【０１１０】
さらに、上述した第１〜第４の各実施形態では、楽器ケース１内における鍵盤部１０の後方にスピーカ２６を下向きに配置した場合について述べたが、これに限らず、楽器ケース１内における鍵盤部１０の後方にスピーカ２６を上向きに配置しても良く、またスピーカ２６を前向きに配置しても良い。
【０１１１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１１２】
（付記）
請求項１に記載の発明は、内部に鍵盤部が配置される楽器ケースと、前記楽器ケース内における前記鍵盤部の後方に配置されたスピーカと、前記楽器ケース上に開閉可能に保持され、かつ閉状態において前記スピーカで発生した音を放音するための放音孔を塞ぐ放音蓋と、この放音蓋を前記楽器ケースの前方向および後方向のいずれかに向けて選択的に開放する開放選択部と、を備えていることを特徴とする鍵盤楽器である。
【０１１３】
請求項２に記載の発明は、請求項１に記載の鍵盤楽器において、前記開放選択部は、前記放音蓋の前部を前記楽器ケースの上部に対して着脱可能に取り付け、かつ前記放音蓋の前部を回転可能に保持する前側保持部と、前記放音蓋の後部を前記楽器ケースの上部に対して着脱可能に取り付け、かつ前記放音蓋の後部を回転可能に保持する後側保持部とを備えていることを特徴とする鍵盤楽器である。
【０１１４】
請求項３に記載の発明は、請求項２に記載の鍵盤楽器において、前記前側保持部は、前記楽器ケースの上部における前記放音孔の前部に設けられた前側装着部と、前記放音蓋の前部に設けられて前記前側装着部に着脱可能に取り付けられ、かつ前記前側装着部に対して回転して前記放音蓋を任意の傾斜角度で保持する前側嵌合部とを備え、
前記後側保持部は、前記楽器ケースの上部における前記放音孔の後部に設けられた後側装着部と、前記放音蓋の後部に設けられて前記後側装着部に着脱可能に取り付けられ、かつ前記前側装着部に対して回転して前記放音蓋を任意の傾斜角度で保持する後側嵌合部とを備えていることを特徴とする鍵盤楽器である。
【０１１５】
請求項４に記載の発明は、請求項３に記載の鍵盤楽器において、前記前側装着部は前記楽器ケースの上部における前記放音孔の前部に上下方向に伸縮自在に設けられた前側支持部材に取り付けられており、前記後側装着部は前記楽器ケースの上部における前記放音孔の後部に上下方向に伸縮自在に設けられた後側支持部材に取り付けられていることを特徴とする鍵盤楽器である。
【０１１６】
請求項５に記載の発明は、内部に鍵盤部が配置される楽器ケースと、前記楽器ケース内における前記鍵盤部の後方に配置されたスピーカと、前記楽器ケース上に開閉可能に保持され、かつ閉状態において前記スピーカで発生した音を放音するための放音孔を塞ぐ放音蓋と、この放音蓋を前記楽器ケースの前方向および後方向に開放する開放選択部と、を備えていることを特徴とする鍵盤楽器である。
【０１１７】
請求項６に記載の発明は、請求項５に記載の鍵盤楽器において、前記放音蓋は、前側放音蓋部と後側放音蓋部とに分割され、前記前側放音蓋部と前記後側放音蓋部とが連結部によって回転可能に連結され、かつこの連結部によって前記前側放音蓋部と前記後側放音蓋部とが互いに任意の角度で傾斜して保持されることを特徴とする鍵盤楽器である。
【０１１８】
請求項７に記載の発明は、請求項６に記載の鍵盤楽器において、前記連結部によって連結された箇所における前記前側放音蓋部と前記後側放音蓋部との一方を前記楽器ケースの上部に対して着脱可能に取り付け、かつ前記前側放音蓋部と前記後側放音蓋部との前記一方を回転可能に保持する中間保持部とを備えていることを特徴とする鍵盤楽器である。
【０１１９】
請求項８に記載の発明は、請求項７に記載の鍵盤楽器において、前記中間保持部は、前記楽器ケースの上部における前記放音孔の前後方向の中間部に対応する箇所に設けられた中間装着部と、前記連結部によって連結された箇所における前記前側放音蓋部と前記後側放音蓋部との一方に設けられて前記中間装着部に着脱可能に取り付けられ、かつ前記前側装着部に対して回転して前記前側放音蓋部と前記後側放音蓋部とを任意の傾斜角度で保持する中間嵌合部と、を備えていることを特徴とする鍵盤楽器である。
【符号の説明】
【０１２０】
１  楽器ケース
６  天板
７  前天板
８  後天板
１０  鍵盤部
１１  鍵盤シャーシ
１２  複数の鍵
１３  鍵盤蓋
１４  蓋ガイド部
１５  前蓋
１６  後蓋
１７  蝶番
２６  スピーカ
２７  第１放音孔
２８  第２放音孔
３０  放音蓋
３１  開放選択部
３２  前側保持部
３３  後側保持部
３４  前側装着部
３５  前側嵌合部
３６  後側装着部
３７  後側嵌合部
４０  前側支持部材
４１  後側支持部材
４３  大径のパイプ
４４  小径のパイプ
４５  軸部
５０  前側放音蓋部
５１  後側放音蓋部
５２  連結部
５３  連結嵌合部
５４  連結装着部
６０  中間保持部
６１  中間装着部
６２  中間嵌合部
【図１】
2014021141.tif 000003
【図２】
2014021141.tif 000004
【図３】
2014021141.tif 000005
【図４】
2014021141.tif 000006
【図５】
2014021141.tif 000007
【図６】
2014021141.tif 000008
【図７】
2014021141.tif 000009
【図８】
2014021141.tif 000010
【図９】
2014021141.tif 000011